(57)【特許請求の範囲】
【請求項１】
柄の先端部の取付け軸に取り付けられた粘着ローラを、前記柄に対して移動可能なカバーで露出させた使用位置と、前記カバーで覆う収納位置とを有するカバー付き清掃具のカバー開閉方法であって、
前記カバーは、一端を把持部、他端を自由端とした回動可能に構成された一対のカバー片を有し、この一対のカバー片には前記自由端が閉じる方向に常時付勢する付勢ばねが取り付けられ、
前記一対のカバー片は、中途が屈曲自在でない一部材である第１のカバー片と中途が屈曲自在でない一部材である第２のカバー片とからなり、
前記使用位置は、前記自由端が前記粘着ローラの上に位置して前記粘着ローラが露出すると共に、前記カバーに設けられた係合部を前記柄に設けられた被係合部に係合させて保持され、前記付勢ばねにより前記一対のカバー片の前記自由端は閉じる方向に移動し、
前記収納位置は、前記把持部を把持して前記付勢ばねの付勢力に抗して前記係合部と前記被係合部の係合状態を解除して、前記カバーの前記自由端を前記粘着ローラの下方位置を超えるよう移動させて前記自由端を収納設置面に当接させ、前記付勢ばねにより前記一対のカバー片の裏面に前記粘着ローラが当接し、前記カバーで前記粘着ローラを覆うものであり、
前記係合部は、前記被係合部が対向する前記カバーの裏面に設けられている
ことを特徴とするカバー付き清掃具のカバー開閉方法。
【請求項２】
柄の先端部の取付け軸に取り付けられた粘着ローラを、前記柄に対して移動可能なカバーで露出させた使用位置と、前記カバーで覆う収納位置とを有するカバー付き清掃具のカバー開閉方法であって、
前記カバーは、一端を把持部、他端を自由端とした回動可能に構成された一対のカバー片を有し、この一対のカバー片には前記自由端が閉じる方向に付勢する付勢ばねが取り付けられ、
前記柄の下方に前記柄の長手方向に対して横断する方向に張り出す張り出し部が設けられ、
前記使用位置は、前記自由端が前記粘着ローラの上に位置して前記粘着ローラが露出すると共に、前記カバーに設けられた係合部を前記柄に設けられた第１の被係合部に係合させて保持され、前記付勢ばねにより前記一対のカバー片の前記自由端は閉じる方向に回動し、
前記収納位置は、前記把持部を把持して前記係合部と前記第１の被係合部の係合状態を解除して、係合部を前記柄に設けられた第２の被係合部に係合させて保持され、この保持状態においては、前記カバーの前記自由端は前記粘着ローラの下方位置を超えた位置であると共に、前記張り出し部が前記一対のカバー片の裏面に当接して前記付勢ばねの付勢力に抗して前記一対のカバー片の前記自由端は閉じる方向に回動せず、前記一対のカバー片の裏面が前記粘着ローラに接触せず離間し、前記カバーで前記粘着ローラを覆い、前記自由端が収納設置面に当接している
ことを特徴とするカバー付き清掃具のカバー開閉方法。
【請求項３】
一対のカバー片の先端部の長手方向は、粘着ローラの長手方向に平行であり、
前記粘着ローラの粘着力が低下した場合、前記一対のカバー片の先端部を前記粘着ローラの周面部に当接させ、前記一対のカバー片の先端部を定規として利用して、前記粘着ローラの粘着シートを切断する
ことを特徴とする請求項１又は請求項２記載のカバー付き清掃具のカバー開閉方法。
【請求項４】
粘着ローラ式の清掃具に対して、粘着ローラを露出させた使用位置と粘着ローラを被覆した収納位置とが切替え可能なカバーを装着した構成のカバー付き清掃具であって、
使用時に手で握って操作する柄と、
上記柄の先端部に設けられ、上記柄の長手方向と交差する方向に延びる取付け軸と、
上記取付け軸に対して、自由に回転可能な状態で取り付けられる粘着ローラと、
上記柄の一部に摺接して柄の長手方向に沿って移動可能な摺動部と、上記粘着ローラの前面ないし後面を被覆可能な翼板部と、を一体に備えたカバー片を一対有し、これら一対のカバー片をヒンジ部で接続することによって上記粘着ローラの前面と後面を挟持状態で被覆可能なカバー本体と、
上記一対のカバー片を、上記粘着ローラを挟持する方向に常時付勢する付勢ばねと、
上記摺動部と摺接する柄の一部に対して、柄の長手方向に所定の間隔で配置される複数の係合凹部と、上記摺動部に設けられ、上記複数の係合凹部の一つを選択して係合される係合凸部と、を備える係合手段と、を具備し、
前記一対のカバー片は、中途が屈曲自在でない一部材である第１のカバー片と中途が屈曲自在でない一部材である第２のカバー片とからなり、
前記使用位置は、前記自由端が前記粘着ローラの上に位置して前記粘着ローラが露出すると共に、前記カバーに設けられた係合部を前記柄に設けられた被係合部に係合させて保持され、前記付勢ばねにより前記一対のカバー片の前記自由端は閉じる方向に移動し、
前記収納位置は、前記把持部を把持して前記付勢ばねの付勢力に抗して前記係合部と前記被係合部の係合状態を解除して、前記カバーの前記自由端を前記粘着ローラの下方位置を超えるよう移動させて前記自由端を収納設置面に当接させ、前記付勢ばねにより前記一対のカバー片の裏面に前記粘着ローラが当接し、前記カバーで前記粘着ローラを覆うものであり、
前記係合部は、前記被係合部が対向する前記カバーの裏面に設けられている
ことを特徴とするカバー付き清掃具。
【請求項５】
柄の先端部の取付け軸に取り付けられた粘着ローラを、前記柄に対して移動可能なカバーで露出させた使用位置と、前記カバーで覆う収納位置とを有するカバー付き清掃具であって、
前記カバーは、一端を把持部、他端を自由端とした回動可能に構成された一対のカバー片を有し、この一対のカバー片には前記自由端が閉じる方向に付勢する付勢ばねが取り付けられ、
前記柄の下方に前記柄の長手方向に対して横断する方向に張り出す張り出し部が設けられ、
前記使用位置は、前記自由端が前記粘着ローラの上に位置して前記粘着ローラが露出すると共に、前記カバーに設けられた係合部を前記柄に設けられた第１の被係合部に係合させて保持され、前記付勢ばねにより前記一対のカバー片の前記自由端は閉じる方向に回動し、
前記収納位置は、前記把持部を把持して前記係合部と前記第１の被係合部の係合状態を解除して、係合部を前記柄に設けられた第２の被係合部に係合させて保持され、この保持状態においては、前記カバーの前記自由端は前記粘着ローラの下方位置を超えた位置であると共に、前記張り出し部が前記一対のカバー片の裏面に当接して前記付勢ばねの付勢力に抗して前記一対のカバー片の前記自由端は閉じる方向に回動せず、前記一対のカバー片の裏面が前記粘着ローラに接触せず離間し、前記カバーで前記粘着ローラを覆い、前記自由端が収納設置面に当接している
ことを特徴とするカバー付き清掃具。
【請求項６】
上記一対のカバー片は、一つが上記ヒンジ部を中心に所定の角度範囲で回動し得る回動式のカバー片であり、他の一つが回動しない固定式のカバー片である
ことを特徴とする請求項４記載のカバー付き清掃具。
【請求項７】
上記係合凹部は、上記カバー本体を使用位置に位置させる時に使用する第１係合凹部と、上記カバー本体を収納位置に位置させる時に使用する第２係合凹部と、の二つの係合凹部を備えることによって構成されている
ことを特徴とする請求項４〜６のいずれかに記載のカバー付き清掃具。
【請求項８】
上記係合凹部は、上記カバー本体を使用位置に位置させる時に使用する第１係合凹部と、上記カバー本体を収納位置に位置させる時に使用する第２係合凹部と、上記カバー本体を粘着シートを切断する切断位置に位置させる時に使用する第３係合凹部と、の三つの係合凹部を備えることによって構成されている
ことを特徴とする請求項４〜６のいずれかに記載のカバー付き清掃具。
【請求項９】
上記係合凸部と上記ヒンジ部は、前後方向の同一直線上またはその近傍位置に設けられている
ことを特徴とする請求項４〜８のいずれかに記載のカバー付き清掃具。
【請求項１０】
上記摺動部には、カバー本体を摺動させる時に指を掛ける指掛け部が設けられている
ことを特徴とする請求項４〜８のいずれかに記載のカバー付き清掃具。
【発明の詳細な説明】
【技術分野】
【０００１】
本発明は、カバー付き清掃具のカバー開閉方法及びカバー付き清掃具に関し、使用時に
粘着ローラを露出させて清掃可能な状態とし、不使用時に粘着ローラを被覆して粘着ロー
ラの保護カバーとして使用することができるカバー付き清掃具のカバー開閉方法及びカバ
ー付き清掃具に係るものである。
【背景技術】
【０００２】
下記の特許文献１〜３に示すように、従来から粘着ローラ式の清掃具が使用されており
、粘着ローラ式の清掃具にはカバー付きのものが種々存在している。このうち特許文献１
では、柄の長手方向に沿ってスライド可能な一体型の半筒状カバーを備えた清掃具が開示
されており、上記半筒状カバーはローラの被覆位置と露出位置とに摺動保持可能に構成さ
れている。また、これら二つの位置の固定をネジの締結によって行っている。
また、特許文献２では二枚の翼板状のカバー部片をヒンジ手段によって回動可能な状態
で接続することによって構成されたカバーを備えた清掃具が開示されている。そして、こ
の清掃具では、ばねの付勢力によって上記二枚のカバー部片をローラ側に回動させてロー
ラを被覆する収納状態と、ローラと反対側に跳ね上げてローラを露出させる使用状態と、
に切り替えることができるように構成されている。
【０００３】
また、特許文献３では、上記特許文献１と同様、柄の長手方向に沿ってスライド可能な
一体型の半筒状カバーを備えた清掃具が開示されており、上記半筒状カバーはローラの被
覆位置とローラの露出位置に加えて、その中間位置でも固定できるように構成されている
。
また、上記３つのポジションの切り替えを柄に対して弾性支持された係合凸部と、カバ
ー側の摺動筒に設けた３個の係合凹部と、の係合構造の採用によって比較的簡単な操作で
実行できるように構成されている。
【先行技術文献】
【特許文献】
【０００４】
【特許文献１】特開平８−３２２７７８号公報
【特許文献２】特許第３５１５２５０号公報
【特許文献３】実用新案登録第３１８１１１４号公報
【発明の概要】
【発明が解決しようとする課題】
【０００５】
しかし、特許文献１、３に示すような一体型の半筒状カバーを採用した場合には、使用
時に当該半筒状カバーを柄の上方に引き上げた時、半筒状カバーが邪魔になって粘着ロー
ラが見え難くなるという問題を有していた。
また、特許文献１に示すようにネジの締結によって使用時と不使用時の位置の固定を切
り替えるという構造は操作が面倒であり、使い勝手の点でも問題を有していた。
【０００６】
一方、特許文献２に示すような跳ね上げ式のカバーを採用した場合には、使用時の粘着
ローラの視認性は良好であるが、カバー部片を使用時と不使用時とで大きく回動させなけ
ればならないため操作性が悪く、使用時の跳ね上げた姿勢での固定手段等が設けられてい
ないため、使用時に不用意にカバー部片に触れたり、カバー部片に物が当たると、カバー
部片がばねの付勢力で粘着ローラ側に戻ってしまうおそれがあり、安全性の点でも問題を
有していた。
【０００７】
また、特許文献３のように３つのポジションの切り替えを弾性支持された係合凸部の押
込み操作で行う構造は、比較的簡単な操作で位置の切り替えが行えるため操作性に優れる
が、係合凸部の押込み動作と半筒状カバーの柄に沿ったスライド動作の二つの動作を行わ
なければならず、操作性の点で更なる改善の余地が残されていた。
また、特許文献３では半筒状カバーを中間位置に固定した時、粘着ローラに巻かれた使
用済みの粘着シートを半筒状カバーのエッジに押し当てて切り取ることができるように構
成されていた。しかし、粘着ローラに巻かれた粘着シートのロール径は使用によって徐々
に小さくなると、半筒状カバーとロール状に巻かれた粘着シートの間隔は徐々に大きくな
る。従って、使用が進んで粘着シートのロール径が小さくなると、粘着シートの切断が良
好に行えない場合が生じ得る。
【０００８】
本発明はこのような点に基づいてなされたもので、その目的とするところは、使用時と
不使用時の切り替えを単一の操作で簡単に行え、使用時の粘着ローラの視認性が良好なカ
バー付き清掃具のカバー開閉方法及びカバー付き清掃具を提供することにある。
【課題を解決するための手段】
【０００９】
請求項１記載のカバー付き清掃具のカバー開閉方法は、柄の先端部の取付け軸に取り付けられた粘着ローラを、前記柄に対して移動可能なカバーで露出させた使用位置と、前記カバーで覆う収納位置とを有するカバー付き清掃具のカバー開閉方法であって、前記カバーは、一端を把持部、他端を自由端とした回動可能に構成された一対のカバー片を有し、この一対のカバー片には前記自由端が閉じる方向に常時付勢する付勢ばねが取り付けられ、前記一対のカバー片は、中途が屈曲自在でない一部材である第１のカバー片と中途が屈曲自在でない一部材である第２のカバー片とからなり、前記使用位置は、前記自由端が前記粘着ローラの上に位置して前記粘着ローラが露出すると共に、前記カバーに設けられた係合部を前記柄に設けられた被係合部に係合させて保持され、前記付勢ばねにより前記一対のカバー片の前記自由端は閉じる方向に移動し、前記収納位置は、前記把持部を把持して前記付勢ばねの付勢力に抗して前記係合部と前記被係合部の係合状態を解除して、前記カバーの前記自由端を前記粘着ローラの下方位置を超えるよう移動させて前記自由端を収納設置面に当接させ、前記付勢ばねにより前記一対のカバー片の裏面に前記粘着ローラが当接し、前記カバーで前記粘着ローラを覆うものであり、前記係合部は、前記被係合部が対向する前記カバーの裏面に設けられているものである。
また、請求項２記載のカバー付き清掃具のカバー開閉方法は、柄の先端部の取付け軸に取り付けられた粘着ローラを、前記柄に対して移動可能なカバーで露出させた使用位置と、前記カバーで覆う収納位置とを有するカバー付き清掃具のカバー開閉方法であって、前記カバーは、一端を把持部、他端を自由端とした回動可能に構成された一対のカバー片を有し、この一対のカバー片には前記自由端が閉じる方向に付勢する付勢ばねが取り付けられ、前記柄の下方に前記柄の長手方向に対して横断する方向に張り出す張り出し部が設けられ、前記使用位置は、前記自由端が前記粘着ローラの上に位置して前記粘着ローラが露出すると共に、前記カバーに設けられた係合部を前記柄に設けられた第１の被係合部に係合させて保持され、前記付勢ばねにより前記一対のカバー片の前記自由端は閉じる方向に回動し、前記収納位置は、前記把持部を把持して前記係合部と前記第１の被係合部の係合状態を解除して、係合部を前記柄に設けられた第２の被係合部に係合させて保持され、この保持状態においては、前記カバーの前記自由端は前記粘着ローラの下方位置を超えた位置であると共に、前記張り出し部が前記一対のカバー片の裏面に当接して前記付勢ばねの付勢力に抗して前記一対のカバー片の前記自由端は閉じる方向に回動せず、前記一対のカバー片の裏面が前記粘着ローラに接触せず離間し、前記カバーで前記粘着ローラを覆い、前記自由端が収納設置面に当接しているものである。
また、請求項３記載のカバー付き清掃具のカバー開閉方法は、請求項１又は請求項２記載のカバー付き清掃具のカバー開閉方法において、一対のカバー片の先端部の長手方向は、粘着ローラの長手方向に平行であり、前記粘着ローラの粘着力が低下した場合、前記一対のカバー片の先端部を前記粘着ローラの周面部に当接させ、前記一対のカバー片の先端部を定規として利用して、前記粘着ローラの粘着シートを切断するものである。
また、請求項４によるカバー付き清掃具は、粘着ローラ式の清掃具に対して、粘着ローラを露出させた使用位置と粘着ローラを被覆した収納位置とが切替え可能なカバーを装着した構成のカバー付き清掃具であって、使用時に手で握って操作する柄と、上記柄の先端部に設けられ、上記柄の長手方向と交差する方向に延びる取付け軸と、上記取付け軸に対して、自由に回転可能な状態で取り付けられる粘着ローラと、上記柄の一部に摺接して柄の長手方向に沿って移動可能な摺動部と、上記粘着ローラの前面ないし後面を被覆可能な翼板部と、を一体に備えたカバー片を一対有し、これら一対のカバー片をヒンジ部で接続することによって上記粘着ローラの前面と後面を挟持状態で被覆可能なカバー本体と、上記一対のカバー片を、上記粘着ローラを挟持する方向に常時付勢する付勢ばねと、上記摺動部と摺接する柄の一部に対して、柄の長手方向に所定の間隔で配置される複数の係合凹部と、上記摺動部に設けられ、上記複数の係合凹部の一つを選択して係合される係合凸部と、を備える係合手段と、を具備し、前記一対のカバー片は、中途が屈曲自在でない一部材である第１のカバー片と中途が屈曲自在でない一部材である第２のカバー片とからなり、前記使用位置は、前記自由端が前記粘着ローラの上に位置して前記粘着ローラが露出すると共に、前記カバーに設けられた係合部を前記柄に設けられた被係合部に係合させて保持され、前記付勢ばねにより前記一対のカバー片の前記自由端は閉じる方向に移動し、前記収納位置は、前記把持部を把持して前記付勢ばねの付勢力に抗して前記係合部と前記被係合部の係合状態を解除して、前記カバーの前記自由端を前記粘着ローラの下方位置を超えるよう移動させて前記自由端を収納設置面に当接させ、前記付勢ばねにより前記一対のカバー片の裏面に前記粘着ローラが当接し、前記カバーで前記粘着ローラを覆うものであり、前記係合部は、前記被係合部が対向する前記カバーの裏面に設けられているものである。
【００１０】
また、請求項５によるカバー付き清掃具は、柄の先端部の取付け軸に取り付けられた粘着ローラを、前記柄に対して移動可能なカバーで露出させた使用位置と、前記カバーで覆う収納位置とを有するカバー付き清掃具であって、前記カバーは、一端を把持部、他端を自由端とした回動可能に構成された一対のカバー片を有し、この一対のカバー片には前記自由端が閉じる方向に付勢する付勢ばねが取り付けられ、前記柄の下方に前記柄の長手方向に対して横断する方向に張り出す張り出し部が設けられ、前記使用位置は、前記自由端が前記粘着ローラの上に位置して前記粘着ロ    ーラが露出すると共に、前記カバーに設けられた係合部を前記柄に設けられた第１の被係合部に係合させて保持され、前記付勢ばねにより前記一対のカバー片の前記自由端は閉じる方向に回動し、前記収納位置は、前記把持部を把持して前記係合部と前記第１の被係合部の係合状態を解除して、係合部を前記柄に設けられた第２の被係合部に係合させて保持され、この保持状態においては、前記カバーの前記自由端は前記粘着ローラの下方位置を超えた位置であると共に、前記張り出し部が前記一対のカバー片の裏面に当接して前記付勢ばねの付勢力に抗して前記一対のカバー片の前記自由端は閉じる方向に回動せず、前記一対のカバー片の裏面が前記粘着ローラに接触せず離間し、前記カバーで前記粘着ローラを覆い、前記自由端が収納設置面に当接しているものである。
【００１１】
また、請求項６によるカバー付き清掃具は、請求項４記載のカバー付き清掃具において
、上記一対のカバー片は、一つが上記ヒンジ部を中心に所定の角度範囲で回動し得る回動
式のカバー片であり、他の一つが回動しない固定式のカバー片であることを特徴とするも
のである。
【００１２】
また、請求項７によるカバー付き清掃具は、請求項４〜６のいずれかに記載のカバー付
き清掃具において、上記係合凹部は、上記カバー本体を使用位置に位置させる時に使用す
る第１係合凹部と、上記カバー本体を収納位置に位置させる時に使用する第２係合凹部と
、の二つの係合凹部を備えることによって構成されていることを特徴とするものである。
【００１３】
また、請求項８によるカバー付き清掃具は、請求項４〜６のいずれかに記載のカバー付
き清掃具において、上記係凹部は、上記カバー本体を使用位置に位置させる時に使用する
第１係合凹部と、上記カバー本体を収納位置に位置させる時に使用する第２係合凹部と、
上記カバー本体を粘着シートを切断する切断位置に位置させる時に使用する第３係合凹部
と、の三つの係合凹部を備えることによって構成されていることを特徴とするものである
。
【００１４】
また、請求項９によるカバー付き清掃具は、請求項４〜８のいずれかに記載のカバー付
き清掃具において、上記係凸部と上記ヒンジ部は、前後方向の同一直線上またはその近傍
位置に設けられていることを特徴とするものである。
【００１５】
また、請求項１０によるカバー付き清掃具は、請求項４〜９のいずれかに記載のカバー
付き清掃具において、上記摺部には、カバー本体を摺動させる時に指を掛ける指掛け部が
設けられていることを特徴とするものである。
【００１６】
また、請求項１１によるカバー付き清掃具は、請求項４〜１０のいずれかに記載のカバ
ー付き清掃具において、上記一対のカバー片の双方またはいずれか一方には、上記翼板部
の先端に粘着ローラ側に指向する刃部が設けられていることを特徴とするものである。
【発明の効果】
【００１７】
請求項１記載のカバー付き清掃具のカバー開閉方法によれば、一対のカバー片は一対の
カバー片の自由端が閉じる方向に付勢ばねにより付勢されているから、使用時には、一対
のカバー片の自由端が粘着ローラの上に位置し、対向する一対のカバー片の先端が接近方
向に回動して粘着ローラの視認性が良好になる。
また、収納位置は、カバーの把持部を把持して係合部と被係合部の係合状態を解除し
て、カバーの自由端を粘着ローラの下方位置を超えるよう移動させて自由端を収納設置面
に当接させ、付勢ばねにより一対のカバー片の裏面に粘着ローラが当接し、カバーで粘着
ローラを覆うため、カバー付き清掃具を立てた状態で保管できるようになる。
また、請求項２記載のカバー付き清掃具のカバー開閉方法によれば、一対のカバー片は
一対のカバー片の自由端が閉じる方向に付勢ばねにより付勢されているから、使用時には
、一対のカバー片の自由端が粘着ローラの上に位置し、対向する一対のカバー片の先端が
接近方向に回動して粘着ローラの視認性が良好になる。
また、収納位置は、カバーの把持部を把持して係合部と第１の被係合部の係合状態を
解除して、係合部を柄に設けられた第２の被係合部に係合させて保持され、この保持状態
においては、カバーの自由端は粘着ローラの下方位置を超えた位置であると共に、張り出
し部が一対のカバー片の裏面に当接して付勢ばねの付勢力に抗して一対のカバー片の自由
端は閉じる方向に回動せず、一対のカバー片の裏面が粘着ローラに接触せず離間し、カバ
ーで粘着ローラを覆い、前記自由端が収納設置面に当接している、つまり、一対のカバー
片の裏面が粘着ローラに接触せず離間している分、一対のカバー片の裏面が粘着ローラに
接触する請求項１記載の発明に比較し、使用勝手を向上させて、カバー付き清掃具を立て
た状態で保管できるようになる。
また、請求項３記載のカバー付き清掃具のカバー開閉方法によれば、上述した請求項１
又は請求項２記載の発明の効果に加え、粘着ローラの粘着力が低下した場合、一対のカバ
ー片の先端部を粘着ローラの周面部に当接させ、一対のカバー片の先端部を定規として利
用することができるため、粘着ローラの粘着シートを直線状に簡易に切断することができ
る。
また、請求項４記載の発明のカバー付き清掃具によると、一対のカバー片をヒンジ部で
接続することによって、粘着ローラの前面と後面を挟持状態で被覆可能なカバー本体が設
けられており、上記一対のカバー片は、付勢ばねによって粘着ローラを挟持する方向に付
勢されているから、使用時には、対向する二枚の翼板部の先端が接近方向に回動して粘着
ローラの視認性が良好になる。
また、収納時には対向する二枚の翼板部の先端が離間方向に回動して粘着ローラを二枚
の翼板部の内方空間に収納して該粘着ローラを挟持状態で被覆した状態になる。そして、
この状態では、一対のカバー片が脚部として機能するため、カバー付き清掃具を立てた状
態で保管できるようになる。
【００１８】
また、係合手段の採用によって上記摺動部を柄の長手方向に沿って移動させるだけで上
記使用位置と収納位置の切り替えが可能になり、各位置におけるカバー本体の固定とカバ
ー本体の姿勢の維持とが図られる。従って、摺動部を摺動するだけの単一の操作のみでカ
バー本体の位置の切り替えが可能になっており、極めて操作性に優れ、使い勝手の良いカ
バー付き清掃具になっている。
【００１９】
また、上記一対のカバー片の双方を回動式のカバー片によって構成した場合には、左右
のカバー片の拡開角度を広くとることが容易になるから、カバー本体の使用位置と収納位
置の切り替えが円滑になる。
また、上記一対のカバー片の一つを回動式のカバー片、他の一つを固定式のカバー片に
よって構成した場合には、固定式のカバー片側ではカバー片が回動しないため、上記係合
凹部と係合凸部との係合状態に変化はなく、係合が確実になって、カバー片の剛性も向上
する。
【００２０】
また、カバー本体の使用位置を設定する第１係合凹部と、カバー本体の収納位置を設定
する第２係合凹部と、のつの係合凹部を備えた場合には、カバー本体の使用位置と収納位
置との切り替えと、各位置での固定と、が円滑かつ確実に実行されるようになる。
また、上記第１係合凹部と第２係合凹部に粘着シートの切断位置を設定する第３係合凹
部を加えた三つの係合凹部を備えた場合には、カバー本体の使用位置と収納位置と粘着シ
ートの切断位置との切り替えと、各位置での固定と、が円滑かつ確実に実行されるように
なる。
【００２１】
また、上記係合凸部と上記ヒンジ部を、同一直線上またはその近傍位置に設けた場合に
は、カバー片の回動に伴う係合凸部の変位量が小さくなるから、係合凸部と係合凹部との
係合状態が確実になる。従って、カバー片を回動する時の係合手段の不用意な係合の解除
が防止される。
また、上記摺動部に指掛け部を設けた場合には、カバー本体の摺動操作が容易になり、
使い勝手が向上する。
【００２２】
また、一対のカバー片の双方またはいずれか一方の翼板部の先端に粘着ローラ側に指向
する刃部を設けた場合には、使用によって粘着力が弱くなった粘着シートの切断を容易に
行うことが可能になる。また、粘着シートを切断する時の刃部の位置を、粘着ローラの切
断に適した切断位置に設定した場合には、粘着シートの切断作業が更に円滑になり、一対
のカバー片による挟持作用と相俟って良好な粘着シートの切断状態が得られるようになる
。
【図面の簡単な説明】
【００２３】
【図１】本発明の第１の実施の形態を示す図で、カバー付き清掃具の収納時の状態を示す斜視図である。
【図２】本発明の第１の実施の形態を示す図で、カバー付き清掃具を収納時の状態を示す正面図である。
【図３】本発明の第１の実施の形態を示す図で、カバー付き清掃具を収納時の状態を示す左側面図である。
【図４】本発明の第１の実施の形態を示す図で、カバー付き清掃具を収納時の状態を示す右側面図である。
【図５】本発明の第１の実施の形態を示す図で、カバー付き清掃具を収納時の状態を示す図２中のＡ―Ａ断面である。
【図６】本発明の実第１の実施の形態を示す図で、カバー付き清掃具を収納時の状態を示す図２中のＢ−Ｂ断面図である。
【図７】本発明の第１の実施の形態を示す図で、カバー付き清掃具を収納時の状態を示す図３中のＣ−Ｃ断面図である。
【図８】本発明の第１の実施の形態を示す図で、カバー付き清掃具の収納時（ａ）と使用時（ｂ）の状態を示す左側面図である。
【図９】本発明の第１の実施の形態を示す図で、カバー付き清掃具の使用時の状態を示す斜視図である。
【図１０】本発明の第２の実施の形態を示す図で、カバー付き清掃具の収納時の状態を示す斜視図である。
【図１１】本発明の第２の実施の形態を示す図で、カバー付き清掃具の収納時の状態を示す正面図である。
【図１２】本発明の第２の実施の形態を示す図で、カバー付き清掃具の収納時の状態を示す図１１中のＤ―Ｄ断面図である。
【図１３】本発明の第２の実施の形態を示す図で、カバー付き清掃具の収納時（ａ）と使用時（ｂ）と切断時（ｃ）の状態を示す左側面図である。
【図１４】本発明の第２の実施の形態を示す図で、カバー付き清掃具の切断時の状態を示す斜視図である。
【図１５】本発明の第３の実施の形態を示す図で、カバー付き清掃具の収納時の状態を示す斜視図である。
【図１６】図５の他の実施例を概略的に示す概略的断面図である。
【発明を実施するための形態】
【００２４】
以下、図１〜図９に示す第１の実施の形態と、図１０〜図１４に示す第２の実施の形態
と、図１５に示す第３の実施の形態と、の三つの実施の形態を例にとって、本発明のカバ
ー付き清掃具のカバー開閉方法及びカバー付き清掃具の構成と使用態様を詳細に説明する
。
尚、以下の説明では、図１〜図９に示す第１の実施の形態を例にとって、本発明のカバ
ー付き清掃具１の具体的構成とその使用態様について詳細に説明し、図１０〜図１４に示
す第２の実施の形態と図１５に示す第３の実施の形態については上記第１の実施の形態と
の差異を中心に説明する
【００２５】
（１）第１の実施の形態（図１〜図９参照）
本発明のカバー付き清掃具１（１Ａ）は、ロール状に巻かれた粘着シートＳをロール芯
２に装着して使用する粘着ローラ３を使用した清掃具であって、該粘着ローラ３を露出さ
せた使用位置Ｏと粘着ローラ３を被覆した収納位置Ｐとを切り替えることができるカバー
５を装着した構成のものである。カバー５は、一端を把持部Ａ、Ｂ、他端を自由端Ｃ、Ｄ
（図１参照）とした回動可能に構成された一対のカバー片１５、１６を有している。
また、本発明のカバー付き清掃具のカバー開閉方法は、柄７の先端部の取付け軸９に取
り付けられた粘着ローラ３を、柄７に対して移動可能なカバー５で露出させた使用位置Ｏ
と、カバー５で覆う収納位置Ｐとを有するものである[図８（ａ）（ｂ）参照]。
そして、このカバー付き清掃具１（１Ａ）は、使用時に手で握って操作する柄７と、上
記柄７の先端部に設けられ、上記柄７の長手方向Ｙと交差する幅方向Ｘに延びる取付け軸
９と、上記取付け軸９に対して、自由に回転可能な状態で取り付けられる上述した粘着ロ
ーラ３とを備えている。
【００２６】
また、カバー付き清掃具１（１Ａ）は、上記柄７の一部に摺接して柄７の長手方向Ｙに
沿って移動可能な摺動部１１と、上記粘着ローラ３の前面ないし後面を被覆可能な翼板部
１３と、を一体に備えたカバー片１５、１６を一対有し、これら一対のカバー片１５、１
６をヒンジ部１７で接続することによって上記粘着ローラ３の前面と後面を挟持状態で被
覆可能なカバー本体６と、上記一対のカバー片１５、１６を、上記粘着ローラ３を挟持す
る方向Ｃに付勢する付勢ばね８と、を備えている。つまり、一対のカバー片１５、１６に
はカバー片１５、１６の自由端Ｃ、Ｄが閉じる方向に付勢する付勢ばね８が取り付けられ
ている。
そして、上記カバー本体６と付勢ばね８とによってカバー５が構成されている。
【００２７】
更に、カバー付き清掃具１には、上記摺動部１１と摺接する柄７の一部に対して、柄７
の長手方向Ｙに所定の間隔で配置される第１の被係合部、第２の被係合部、例えば、複数
の係合凹部１９Ａ、１９Ｂと、上記摺動部１１に設けられ、上記複数の係合凹部１９Ａ、
１９Ｂの一つを選択して係合される係合部、例えば、係合凸部２０と、を備える係合手段
２１が具備されており、これら柄７、取付け軸９、粘着ローラ３、カバー本体６、付勢ば
ね８及び係合手段２１とを具備することによって本発明のカバー付き清掃具１（１Ａ）は
基本的に構成されている。
また、柄７の下方には、図５に示すように、柄７の長手方向に対して横断する方向に張
り出す張り出し部７Ａが設けられている。
【００２８】
そして、本実施の形態によるカバー付き清掃具１（１Ａ）では、柄７は、一例としてコ
ーナ部が丸く加工された角棒状の合成樹脂製の部材によって構成されており、使用者が直
接、手で握るグリップ部２３が、上記係合凹部１９Ａ、１９Ｂが形成される摺動軸部２５
よりも幾分、太径に形成されている。
また、図示の実施の形態では、上記グリップ部２３の端部寄りに一例として長穴状の吊
下げ穴２７が形成されている。
【００２９】
また、使用位置Ｏは、図８（ｂ）に示すように、自由端Ｃ、Ｄが粘着ローラ３の上に位
置して粘着ローラ３が露出すると共に、カバー６に設けられた係合部２０を柄７に設けら
れた第１の被係合部１９Ａ、１９Ｂに係合させて保持され、付勢ばね８により一対のカバ
ー片１５、１６の自由端Ｃ、Ｄは閉じる方向に回動する。すなわち、図示の実施の形態で
は、上記摺動軸部２５の前面と後面の対向する位置に使用位置Ｏを設定する第１係合凹部
１９Ａと収納位置Ｐを設定する第２係合凹部１９Ｂと、がそれぞれ設けられており、これ
らの係合凹部１９Ａ、１９Ｂは、一例として正面視矩形状の浅底の凹部によって構成され
ている。
また、上記取付け軸９は、一例として金属製の丸棒状の部材によって構成されており、
図７に示すように一端が上記柄７の摺動軸部２５に挿し込まれて保持される保持部９ａに
なっており、他端が上述した粘着ローラ３のロール芯２を取り付ける取付け部９ｂになっ
ている。また、上記保持部９ａと取付け部９ｂとを接続するコ字状に折り曲げられた連接
部９ｃを有しており、上記保持部９ａと取付け部９ｂと連接部９ｃとを有することによっ
て取付け軸９は一例として構成されている。
【００３０】
また、カバー本体６は、対向するように前後に配置される同一形状の一対のカバー片１
５、１６によって構成されている。これらのカバー片１５、１６はヒンジ部１７が設けら
れる接続部側が曲面状で、先端側にかけての残りの部位が平面状の翼板部１３と、該翼板
部１３の接続部側端部の中央に設けられる角筒を半割りにした形状の摺動部１１と、を備
えることによって基本的に構成されている。
また、上記摺動部１１近傍の翼板部１３には、一例として引張りコイルばねによって構
成される付勢ばね８を、対向して配置される一対のカバー片１５、１６間に張設するため
の係止部２９が上記摺動部１１を挟んだ幅方向Ｘの対称位置に２個ずつ設けられている。
【００３１】
また、本実施の形態では、一対のカバー片１５、１６の双方が上記摺動部１１を挟んだ
幅方向Ｘの対称位置に配置される二組のヒンジ部１７を中心に所定の角度範囲で回動し得
る回動式のカバー片によって構成されている。
従って、一対のカバー片１５、１６は、図８（ａ）（ｂ）に示すようにそれぞれの先端
部を離間させる方向と接近させる方向とに左右対称に回動し、その回動範囲は、少なくと
も図８（ａ）に示す粘着ローラ３を一対のカバー片１５、１６の内方空間に収納した状態
と、図８（ｂ）に示す一対のカバー片１５、１６の先端部を摺動部１１側に一杯に接近さ
せた状態との範囲で回動し得るように構成する。
【００３２】
また、上記摺動部１１の前面ないし後面には、一例としてＵ字状のスリットが形成され
ており、該スリットの内部に形成された舌片部３１の内面に上述した係合凸部２０が形成
されている。
また、上記係合凸部２０が設けられる位置は、図５において一点鎖線で示す上記ヒンジ
部１７を通る前後方向Ｚの同一直線上またはその近傍位置に設定する。因みに、このよう
な位置に係合凸部２０を配置した場合には、一対のカバー片１５、１６の回動によって生
ずる係合凸部２０の変位量が小さくなるから、一対のカバー片１５、１６の回動に伴う係
合凹部１９Ａ、１９Ｂと係合凸部２０との不用意な係合の解除が防止される。
【００３３】
また、上記摺動部１１の先端部には、一例として外方にフランジ状に張り出した指掛け
部３３が設けられており、該指掛け部３３に指を掛けて引き上げたり、押し下げることに
よって上記カバー本体６を柄７の長手方向Ｙに沿って摺動できるように構成されている。
次に、このようにして構成される本実施の形態によるカバー付き清掃具１Ａの使用態様
を（Ａ）保管時と、（Ｂ）清掃時と、に分けて各部の作動態様と併せて説明する。
【００３４】
（Ａ）保管時（図１及び図８（ａ）参照）
カバー付き清掃具１Ａを使用しないで保管しておく場合、すなわち、収納位置Ｐは、把
持部Ａ、Ｂを把持して係合部２０と第１の被係合部１９Ａの係合状態を解除して、係合部
２０を柄７に設けられた第２の被係止部１９Ｂに係合させて保持され、この保持状態にお
いては、カバー５の自由端Ｃ、Ｄは粘着ローラ３の下方位置を超えた位置であると共に、
張り出し部７Ａが、図５に示すように、一対のカバー片１５、１６の裏面に当接して付勢
ばね８の付勢力に抗して一対のカバー片１５、１６の自由端Ｃ、Ｄは閉じる方向に回動せ
ず、一対のカバー片１５、１６の裏面が粘着ローラ３に接触せず離間し、カバー５で粘着
ローラ３を覆い、自由端Ｃ、Ｄが収納設置面に当接することとなる。
つまり、指掛け部３３に指を掛けて下方に押し下げ、摺動軸部２５の下方位置に設けら
れている第２係合凹部１９Ｂの存する収納位置Ｐに係合凸部２０を位置させて第２係合凹
部１９Ｂと係合凸部２０を係合状態にする。
この時、係合凸部２０は、舌片部３１の上方に位置する基端部３５を支点にして外方へ
移動することによって第１係合凹部１９Ａとの係合状態が解除され、第２係合凹部１９Ｂ
の存する収納位置Ｐに到着した時点で再び内方に移動して第２係合凹部１９Ｂと係合する
。
従って、一対のカバー片１５、１６の裏面が粘着ローラ３に接触せず離間している分、
一対のカバー片１５、１６の裏面が粘着ローラ３に接触する後述する図１６記載のものに
比較し、使用勝手を向上させて、カバー付き清掃具１（１Ａ）を立てた状態で保管できる
ようになる。
【００３５】
なお、上述の実施例にあっては、張り出し部７Ａが、図５に示すように、一対のカバー
片１５、１６の裏面に当接して付勢ばね８の付勢力に抗して一対のカバー片１５、１６の
自由端Ｃ、Ｄは閉じる方向に回動せず、一対のカバー片１５、１６の裏面が粘着ローラ３
に接触せず離間し、カバー５で粘着ローラ３を覆うようにしたが、本願発明にあっては、
これに限らず、図１６に示すように、収納位置Ｐは、把持部Ａ、Ｂを把持して係合部２０
と第１の被係合部１９Ａの係合状態を解除して、カバー５の自由端Ｃ、Ｄを粘着ローラ３
の下方位置を超えるよう移動させて自由端Ｃ、Ｄを収納設置面に当接させ、付勢ばね８に
より一対のカバー片１５、１６の裏面に粘着ローラ３が当接し、カバー５で粘着ローラ３
を覆うようにしても良い。
つまり、上記摺動部１１の下方への移動によって一対のカバー片１５、１６のそれぞれ
の翼板部１３の先端が粘着ローラ３の摺動部に深く当接するようになり、付勢バネ８の付
勢力に抗して外方に押し広げられて最終的に図１６に示す一対のカバー片１５、１６の内
方空間に粘着ローラ３を収納した収納位置に達する。
そして、この状態では、図示のように一対のカバー片１５、１６が脚部として機能する
ため、自立した姿勢での保管が可能になっている。
【００３６】
（Ｂ）清掃時（図９及び図８（ｂ）参照）
カバー付き清掃具１（１Ａ）を上記保管時の状態から清掃時の状態に移行する場合には
、指掛け部３３に指を掛けて上方に引き上げ、摺動軸部２５の上方位置に設けられている
第１係合凹部１９Ａの存する使用位置Ｏに係合凸部２０を位置させて第１係合凹部１９Ａ
と係合凸部２０を係合状態にする。
この時、係合凸部２０は、上記と同様、舌片部３１の上方に位置する基端部３５を支点
にして外方へ移動することによって第２係合凹部１９Ｂとの係合状態が解除され、第１係
合凹部１９Ａの存する使用位置Ｏに到達した時点で再び内方に移動して第１係合凹部１９
Ａと係合する。
【００３７】
また、上記摺動部１１の上方への移動によって一対のカバー片１５、１６のそれぞれの
翼板部１３の先端部における粘着ローラ３の周面部に対する当接状態が浅くなり、付勢ば
ね８の付勢力によって左右の翼板部１３の先端は徐々に接近して最終的に図９及び図８（
ｂ）に示す粘着ローラ３の上方位置の左右の翼板部１３の先端が一杯に接近した使用位置
Ｏに達する。
そして、この状態では、図示のように左右の翼板部１３の先端が粘着ローラ３の周面部
よりも内方に位置しているため、粘着ローラ３の状態を見ながら清掃を行うことが可能に
なっている。
【００３８】
そして、このようにして構成される本実施の形態によるカバー付き清掃具１（１Ａ）に
よれば、使用時と収納時の切り替えを摺動部１１を押下げ方向または引上げ方向に摺動さ
せるだけの単一の操作で簡単に行うことが可能になる。また、使用位置Ｏと収納位置Ｐで
のカバー本体６の固定は、係合凹部１９Ａ、１９Ｂと係合凸部２０との係合によって確実
に行うことができ、使用時の粘着ローラ３の視認性も良好であるから、操作性、安全性、
機能性に優れたカバー付き清掃具１（１Ａ）を提供することが可能になる。
【００３９】
（２）第２の実施の形態（図１０〜図１４参照）
第２の実施の形態によるカバー付き清掃具１（１Ｂ）は、上述した第１の実施の形態に
よるカバー付き清掃具１（１Ａ）と基本的に同様の構成を有しており、上記第１係合凹部
１９Ａと第２係合凹部１９Ｂの中間位置に第３の被係合部、例えば、第３係合凹部１９Ｃ
を設け、該第３係合凹部１９Ｃと係合凸部２０とを係合させた切断位置Ｑで粘着シートＳ
の切断を行うようにした点で相違する。
即ち、図１４に示すように、一対のカバー片１５、１６の先端部の長手方向は、粘着ロ
ーラ３の長手方向に平行であり、粘着ローラ３の粘着力が低下した場合、一対のカバー片
１５、１６の先端部を粘着ローラ３の周面部に当接させ、一対のカバー片１５、１６の先
端部を定規として利用して、粘着ローラ３の粘着シートＳを切断するものである。
従って、ここでは上記第１の実施の形態と同様の構成については重複する説明を省略し
、上記第１の実施の形態と相違する第２の実施の形態特有の構成とその使用態様を中心に
説明する。
【００４０】
即ち、本実施の形態では、係合凹部１９は、カバー本体６を使用位置Ｏに位置させる時
に使用する第１係合凹部１９Ａと、カバー本体６を収納位置Ｐに位置させる時に使用する
第２係合凹部１９Ｂと、カバー本体６を、粘着シートＳを切断する切断位置Ｑに位置させ
る時に使用する第３係合凹部１９Ｃと、の三つの係合凹部を備えることによって構成され
ている。
そして、上記第３係合凹部１９Ｃは、該第３係合凹部１９Ｃに係合凸部２０を係合させ
た時、左右の翼板部１３の先端が図１３（ｃ）に示すように粘着ローラ３のほぼ中心を通
る図中、一点鎖線で示す直線上に位置するよう、上記第１係合凹部１９Ａと第２係合凹部
１９Ｂとの中間位置に設けられている。
【００４１】
また、上記一対のカバー片１５、１６の双方には、上記翼板部１３の先端に粘着ローラ
３側に指向する刃部３７が設けられており、粘着シートＳの切断時に当該刃部３７を図１
４に示すように粘着シートＳの切断個所に押し当てて、粘着シートＳを引き裂くことによ
って粘着シートＳが切断できるように構成されている。
次に、このようにして構成される本実施の形態によるカバー付き清掃具１（１Ｂ）の（
Ｃ）切断時の使用態様を各部の作動態様と併せて説明する。
【００４２】
（Ｃ）切断時（図１４及び図１３（ｃ）参照）
粘着ローラ３の粘着シートＳにゴミや埃が付いて粘着力が低下した時は、当該粘着力が
低下した部位の粘着シートＳを引き出して切断する。この場合には、指掛け部３３に指を
掛けて下方に押し下げ、摺動軸部２５の中間位置に設けられている第３係合凹部１９Ｃの
存する切断位置Ｑに係合凸部２０を位置させて第３係合凹部１９Ｃと係合凸部２０を係合
状態にする。
この時、係合凸部２０は、舌片部３１の上方に位置する基端部３５を支点にして外方へ
移動することによって第１係合凹部１９Ａとの係合状態が解除され、第３係合凹部１９Ｃ
の存する切断位置Ｑに到達した時点で再び内方に移動して第３係合凹部１９Ｃと係合する
。
【００４３】
また、上記摺動部１１の下方への移動によって一対のカバー片１５、１６のそれぞれの
翼板部１３の先端が粘着ローラ３の周面部に深く当接するようになり、付勢ばね８の付勢
力に抗して外方に押し広げられて最終的に図１４及び図１３（ｃ）に示す粘着ローラ３の
中心を通る、図中、１点鎖線で示す直線上に上記翼板部１３の先端が位置する切断位置Ｑ
に達する。
そして、図１４に示すように片手で一対のカバー片１５、１６を掴んで粘着ローラ３の
周面部に押し当てて、他方の手で粘着シートＳを引き裂けば粘着シートＳの切断が実行さ
れる。
【００４４】
そして、このようにして構成される第２の実施の形態によるカバー付き清掃具１（１Ｂ
）によっても、上述した第１の実施の形態と同様の作用、効果が享受でき、更に本実施の
形態では、第３係合凹部１９Ｃと係合凸部２０との係合によって粘着シートＳの切断に適
した最適な位置に翼板部１３の先端を位置させて粘着シートＳの円滑で確実な切断を実行
することが可能になる。
また、上記翼板部１３の先端部の挟持作用によって粘着ローラ３との間に隙間が存在し
ていないから刃部３７を設けたことと相俟って切断面がきれいな良好な粘着シートＳの切
断が可能になる。
【００４５】
（３）第３の実施の形態（図１５参照）
第３の実施の形態によるカバー付き清掃具１（１Ｃ）は、上述した第１の実施の形態に
よるカバー付き清掃具１Ａと基本的に同様の構成を有しており、一対のカバー片１５、１
６の一方を回動が規制された固定式のカバー片によって構成した点で相違する。
従って、ここでは上記第１の実施の形態と同様の構成については説明を省略し、上記第
１の実施の形態と相違する第３の実施の形態特有の構成とその使用態様を中心に説明する
。
【００４６】
即ち、本実施の形態では、一対のカバー片１５、１６の一方（例えば前面に位置するカ
バー片１５）を上記ヒンジ部１７を中心に所定の角度範囲で回動し得る回動式のカバー片
によって構成し、一対のカバー片１５、１６の他方（例えば後面に位置するカバー片１６
）を回動しない固定式のカバー片によって構成している。
従って、他方のカバー片１６が回動しない分、一方のカバー片１５の回動範囲が大きく
なるように設定されており、これにより、上記第１の実施の形態と同様、カバー本体６を
収納位置Ｐに位置させた時、一対のカバー片１５、１６の内方空間に粘着ローラ３を収納
できるように構成されている。
【００４７】
そして、このようにして構成される第３の実施の形態によるカバー付き清掃具１（１Ｃ
）によっても、上述した第１の実施の形態と同様の作用、効果が享受でき、更に本実施の
形態では、固定式のカバー片によって構成される他方のカバー片１６側では、カバー片の
回動に起因する係合凸部２０の変位量は生じないから係合凹部１９と係合凸部２０との確
実な係合が実行される。
【００４８】
（４）他の実施の形態
本発明のカバー付き清掃具１は、上述した第１〜第３の実施の形態のものに限定されず
、その発明の要旨内での変更が可能である。
例えば、柄７の形状は角棒状に限らず、円形断面、楕円形断面、多角形断面等を有する
棒状部材によって構成することが可能であり、摺動部１１も半割りされた角筒状の形状に
限らず、半割りされた円筒状、楕円筒状、多角形筒状等、種々の形状の摺動部１１を採用
することが可能である。
【００４９】
また、指掛け部３３の形状も外フランジ状の形状に限らず、摺動部１１の外周面に形成
した溝部や穴部あるいは摺動部１１の外周面に形成した棒状あるいは舌片状の凸部等であ
ってもよい。
また、翼板部１３の先端に設ける刃部３７は、第１の実施の形態の場合にも設けること
が可能であり、また、一対のカバー片１５、１６の双方に設ける場合に限らず、一対のカ
バー片１５、１６のいずれか一方に設けることが可能である。また、刃部３７の形状も先
端に行くに従って刃部３７の厚さを徐々に薄くなる片刃あるいは両刃のナイフ形状や鋸歯
形状等、種々の形状が採用可能である。
【産業上の利用可能性】
【００５０】
本発明のカバー付き清掃具は、粘着ローラを使用した清掃具の製造、使用分野等で利用
でき、特に粘着ローラの使用位置と収納位置の切り替えが可能なカバー付きの清掃具にお
いて、操作性と視認性を向上させ、確実なカバーの位置固定を図りたい場合に利用可能性
を有する。
【符号の説明】
【００５１】
１  カバー付き清掃具
２  ロール芯
３  粘着ローラ
５  カバー
６  カバー本体
７  柄
８  付勢ばね
９  取付け軸
９ａ  保持部
９ｂ  取付部
９ｃ  連接部
１１  摺動部
１３  翼板部
１５  カバー片
１６  カバー片
１７  ヒンジ部
１９  係合凹部
２０  係合凸部
２１  係合手段
２３  グリップ
２５  摺動軸部
２７  吊下げ部
２９  係止部
３１  舌片部
３３  指掛け部
３５  基端部
３７  刃部
Ｓ  粘着シート
Ｏ  使用位置
Ｐ  収納位置
Ｑ  切断位置
Ｙ  長手方向
Ｘ  幅方向
Ｃ  挟持する方向
Ｚ  前後方向
【図１】
0006656880.tif 000002
【図２】
0006656880.tif 000003
【図３】
0006656880.tif 000004
【図４】
0006656880.tif 000005
【図５】
0006656880.tif 000006
【図６】
0006656880.tif 000007
【図７】
0006656880.tif 000008
【図８】
0006656880.tif 000009
【図９】
0006656880.tif 000010
【図１０】
0006656880.tif 000011
【図１１】
0006656880.tif 000012
【図１２】
0006656880.tif 000013
【図１３】
0006656880.tif 000014
【図１４】
0006656880.tif 000015
【図１５】
0006656880.tif 000016
【図１６】
0006656880.tif 000017